(57)【要約】【課題】視野角が狭く、かつ、優れた画質を実現し得る液晶表示装置を提供すること。【解決手段】本発明の液晶表示装置は、液晶パネルと、プリズムシートと、導光板と、可視光吸収体とを視認側からこの順に備え、該プリズムシートが、視認側とは反対側に凸部を有し、該可視光吸収体の視感反射率が３０％以下である。１つの実施形態においては、本発明の液晶表示装置は、反射型偏光板を含まない。１つの実施形態においては、上記プリズムシートが、三角柱状の単位プリズムを複数並列して構成される。【選択図】図１
2014238478.tif 000002
【特許請求の範囲】
【請求項１】
液晶パネルと、プリズムシートと、導光板と、可視光吸収体とを視認側からこの順に備え、
該プリズムシートが、視認側とは反対側に凸部を有し、
該可視光吸収体の視感反射率が３０％以下である、
液晶表示装置。
【請求項２】
反射型偏光板を含まない、請求項１に記載の液晶表示装置。
【請求項３】
前記プリズムシートが、三角柱状の単位プリズムを複数並列して構成される、請求項１または２のいずれかに記載の液晶表示装置。
【請求項４】
前記導光板が、背面側および視認側にプリズム形状が形成された導光板である、請求項１から３のいずれかに記載の液晶表示装置。
【発明の詳細な説明】
【技術分野】
【０００１】
本発明は、液晶表示装置に関する。
【背景技術】
【０００２】
通常、液晶表示装置は、視認者の位置が固定されずあらゆる角度から視認される場面（例えば、電子広告、通常使用のテレビ、パソコン等）で用いられる場合、広視野角が求められる。広視野角の実現のため、拡散シート、プリズムシート、広視野角液晶パネル、広視野角偏光板等を用いた様々な技術が検討されている。その一方で、視認者の位置が狭い範囲に限定されている場合、のぞき見を防止するなどの目的から、狭い視野角での画像表示が可能な液晶表示装置（例えば携帯電話、公共の場で用いるノートパソコン、現金自動預け払い機、乗り物のシートモニター等に用いられる液晶表示装置）も求められている。
【０００３】
視野角を狭める方法として、ルーバーフィルムを液晶表示装置の視認側面に配置する技術が知られている（例えば、特許文献１）。ルーバーフィルムは、入射光の一部、特に入射角の大きい光を遮断することにより、視野角を制御することができる。しかしながら、ルーバーフィルムを液晶表示装置に用いると、モアレ、スジ、色相変化等が発生し、画質が著しく低下するという問題がある。また、ルーバーフィルムは高価であるという問題がある。
【先行技術文献】
【特許文献】
【０００４】
【特許文献１】特表２００９−５２８５６７号公報
【発明の概要】
【発明が解決しようとする課題】
【０００５】
本発明は上記従来の課題を解決するためになされたものであり、その目的とするところは、視野角が狭く、かつ、優れた画質を実現し得る液晶表示装置を提供することにある。
【課題を解決するための手段】
【０００６】
本発明の液晶表示装置は、液晶パネルと、プリズムシートと、導光板と、可視光吸収体とを視認側からこの順に備え、該プリズムシートが、視認側とは反対側に凸部を有し、該可視光吸収体の視感反射率が３０％以下である。
１つの実施形態においては、本発明の液晶表示装置は、反射型偏光板を含まない。
１つの実施形態においては、上記プリズムシートが、三角柱状の単位プリズムを複数並列して構成される。
１つの実施形態においては、上記導光板が、背面側および視認側にプリズム形状が形成された導光板である。
【発明の効果】
【０００７】
本発明によれば、視認側とは反対側（背面側）に凸となるプリズムシートと導光板の背面側に配置された可視光吸収体とを備えることにより、視野角が狭く、かつ、優れた画質を実現し得る液晶表示装置を提供することができる。より具体的には、従来の液晶表示装置においては、導光板の背面側に反射板が配置されているところ、該反射板に代えて可視光吸収体を配置することにより、背面側に凸となるように配置されたプリズムシートによる集光効果が顕著となり、ルーバーフィルムを用いずとも、視野角を狭めることができる。また、本発明の液晶表示装置は、ルーバーフィルムを必要としないので、画質に優れ、また、安価に提供することができる。
【図面の簡単な説明】
【０００８】
【図１】本発明の１つの実施形態による液晶表示装置の概略断面図である。
【図２】本発明の１つの実施形態に用いられるプリズムシートを示す概略斜視図である。
【図３】本発明の液晶表示装置での、出射面内の少なくとも１つの方向における、極角４０°の方向を説明する図である。
【図４】（ａ）〜（ｇ）は、実施例および比較例の液晶表示装置の視野角特性を示すグラフ図である。
【発明を実施するための形態】
【０００９】
以下、図面を参照して本発明の実施形態について説明するが、本発明はこれらの実施形態には限定されない。
【００１０】
Ａ．液晶表示装置の全体構成
図１は、本発明の１つの実施形態による液晶表示装置の概略断面図である。液晶表示装置１００は、液晶パネル１０と、プリズムシート２０と、導光板３０と、可視光吸収体４０とを視認側からこの順に備える。液晶パネル１０は、代表的には、液晶セル１２と、該液晶セル１２の視認側に配置された視認側偏光板１１と、該液晶セルの背面側に配置された背面側偏光板１３とを備える。プリズムシート２０は、視認側とは反対側（背面側）に凸部を有する。１つの実施形態においては、導光板３０および可視光吸収体４０は、バックライトユニットを構成する部材であり得る。実用的には、該バックライトユニットは、任意の適切なその他の部材をさらに備え得る。例えば、該バックライトユニットは、光源５０をさらに備え得る。本発明においては、好ましくは、側面に光源を備えるエッジライト方式のバックライトユニットが用いられる。液晶表示装置は、任意の適切なその他の部材をさらに備えていてもよい。
【００１１】
本発明においては、背面側に凸部を有するプリズムシートが、入射光を集光する機能を有し、視野角の狭い液晶表示装置を提供することができる。さらに、従来の液晶表示装置（実質的にはバックライトユニット）に備えられる反射板に代えて、可視光吸収体を配置することにより、上記プリズムシートの集光機能を高めることができる。その結果、ルーバーフィルムを用いた従来の液晶表示装置と同等以上の狭視野角を実現することができ、かつ、ルーバーフィルムを用いた従来の液晶表示装置よりも格段に優れた画質を実現することができる。このような効果は、可視光吸収体を配置することにより、従来備えられる反射板においては顕著に生じる反射が抑制されて、得られると考えられる。また、一般に、集光機能を有する光学部材として、視認側に凸部を有するプリズムシートも知られているが、視認側に凸部を有するプリズムシートと可視光吸収体を組み合わせても、該プリズムシートの集光機能を高めることはできない。これは、視認側に凸部を有するプリズムシートは、導光板からの光を背面側に反射しやすいため、出射光量の確保および集光機能発現のために、背面側に反射された光を再反射させ得る反射板が不可欠であるためと考えられる。
【００１２】
本発明の液晶表示装置は、好ましくは反射型偏光板を含まない。本発明においては、反射型偏光板を含まない構成とすることにより、視野角がより狭く、かつ、輝度の高い液晶表示装置を得ることができる。１つの実施形態においては、プリズムシートと液晶パネルの背面側偏光板との間に反射型偏光板が設けられることなく、すなわち、上記プリズムシートが液晶パネルに直接設けられて構成される。本発明においては、反射型偏光板を含まない構成とし、反射型偏光板と可視光吸収体との間で繰り返される反射を排除することにより、視野角がより狭く、かつ、輝度の高い液晶表示装置を得ることができる。また、本発明は、反射型偏光板を必要とせずに、高画質かつ狭視野角の液晶表示装置が得られるため、コストの面でも有利である。なお、本明細書において、「直接設けられる」との表現は、部材同士を粘着剤または接着剤を介して貼り合わせることも含む。
【００１３】
本発明の液晶表示装置は、出射面内の少なくとも１つの方向（例えば、図２における方向Ａ）において、極角４０°（図２においては方向ｂ、ｂ’）における輝度が、正面方向（極角０°、図２においては方向ａ）の輝度に対して、１０％以下であることが好ましく、８％以下であることがより好ましく、１％〜５％であることが特に好ましい。このような範囲であれば、例えば、覗き見防止機能を有する液晶表示装置として、好ましい視野角特性を有する液晶表示装置を得ることができる。なお、出射光の極角４０°における輝度を上記範囲とすることが好ましい出射面内の方向とは、視野角の低減を所望する方向であり、例えば、覗き見防止効果の発現を所望する方向である。また、後述のようにプリズムシートが柱状の単位プリズムから構成される場合、該方向は、単位プリズムの長手方向（稜線方向）に実質的に直交する方向であり得る。なお、本明細書において、極角とは液晶表示装置の法線方向（正面方向）と液晶表示装置からの出射光とのなす角をいう。
【００１４】
Ｂ．液晶パネル
上記液晶パネル１０は、代表的には、液晶セル１２と、該液晶セルの視認側に配置された視認側偏光板１１と、該液晶セルの背面側に配置された背面側偏光板１３とを備える。視認側偏光板１１および背面側偏光板１３は、それぞれの吸収軸が実質的に直交または平行となるようにして配置され得る。
【００１５】
Ｂ−１．液晶セル
液晶セル１２は、一対の基板１、１’と、当該基板間に挟持された表示媒体としての液晶層２とを有する。一般的な構成においては、一方の基板に、カラーフィルター及びブラックマトリクスが設けられており、他方の基板に、液晶の電気光学特性を制御するスイッチング素子と、このスイッチング素子にゲート信号を与える走査線及びソース信号を与える信号線と、画素電極及び対向電極とが設けられている。上記基板の間隔（セルギャップ）は、スペーサー等によって制御できる。上記基板の液晶層と接する側には、例えば、ポリイミドからなる配向膜等を設けることができる。
【００１６】
１つの実施形態においては、液晶層は、電界が存在しない状態でホモジニアス配列に配向させた液晶分子を含む。このような液晶層（結果として、液晶セル）は、代表的には、ｎｘ＞ｎｙ＝ｎｚの３次元屈折率を示す。なお、本明細書において、ｎｙ＝ｎｚとは、ｎｙとｎｚが完全に同一である場合だけでなく、ｎｙとｎｚとが実質的に同一である場合も包含する。このような３次元屈折率を示す液晶層を用いる駆動モードの代表例としては、インプレーンスイッチング（ＩＰＳ）モード、フリンジフィールドスイッチング（ＦＦＳ）モード等が挙げられる。なお、上記のＩＰＳモードは、Ｖ字型電極又はジグザグ電極等を採用した、スーパー・インプレーンスイッチング（Ｓ−ＩＰＳ）モードや、アドバンスド・スーパー・インプレーンスイッチング（ＡＳ−ＩＰＳ）モードを包含する。また、上記のＦＦＳモードは、Ｖ字型電極又はジグザグ電極等を採用した、アドバンスド・フリンジフィールドスイッチング（Ａ−ＦＦＳ）モードや、ウルトラ・フリンジフィールドスイッチング（Ｕ−ＦＦＳ）モードを包含する。
【００１７】
別の実施形態においては、液晶層は、電界が存在しない状態でホメオトロピック配列に配向させた液晶分子を含む。このような液晶層（結果として、液晶セル）は、代表的には、ｎｚ＞ｎｘ＝ｎｙの３次元屈折率を示す。電界が存在しない状態でホメオトロピック配列に配向させた液晶分子を用いる駆動モードとしては、例えば、バーティカル・アライメント（ＶＡ）モードが挙げられる。ＶＡモードは、マルチドメインＶＡ（ＭＶＡ）モードを包含する。
【００１８】
Ｂ−２．偏光板
偏光板は、代表的には、偏光子と、偏光子の両側に配置された保護層とを有する。偏光子は、代表的には吸収型偏光子である。
【００１９】
上記吸収型偏光子の波長５８９ｎｍの透過率（単体透過率ともいう）は、好ましくは４１％以上であり、より好ましくは４２％以上である。なお、単体透過率の理論的な上限は５０％である。また、偏光度は、好ましくは９９．５％〜１００％であり、更に好ましくは９９．９％〜１００％である。上記の範囲であれば、液晶表示装置に用いた際に正面方向のコントラストをより一層高くすることができる。
【００２０】
上記偏光子としては、任意の適切な偏光子が用いられる。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムにヨウ素などの二色性物質を吸着させて一軸延伸した偏光子が、偏光二色比が高く、特に好ましい。偏光子の厚みは、好ましくは、０．５μｍ〜８０μｍである。
【００２１】
ポリビニルアルコール系フィルムにヨウ素を吸着させて一軸延伸した偏光子は、代表的には、ポリビニルアルコールをヨウ素の水溶液に浸漬することによって染色し、元長の３倍〜７倍に延伸することで作製される。延伸は染色した後に行ってもよいし、染色しながら延伸してもよいし、延伸してから染色してもよい。延伸、染色以外にも、例えば、膨潤、架橋、調整、水洗、乾燥等の処理が施されて作製される。
【００２２】
上記保護層としては、任意の適切なフィルムが用いられる。このようなフィルムの主成分となる材料の具体例としては、トリアセチルセルロース（ＴＡＣ）等のセルロース系樹脂や、（メタ）アクリル系、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アセテート系等の透明樹脂等が挙げられる。また、アクリル系、ウレタン系、アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。上記ポリマーフィルムは、例えば、前記樹脂組成物の押出成形物であり得る。
【００２３】
Ｃ．プリズムシート
図３は、本発明の１つの実施形態に用いられるプリズムシートを示す概略斜視図である。プリズムシート２０は、代表的には、基材部２１とプリズム部２２とを有する。なお、基材部２１は、隣接する部材に応じて省略してもよい。
【００２４】
プリズムシート２０は、任意の適切な接着層（例えば、接着剤層、粘着剤層：図示せず）を介して隣接する部材に貼り合わせられ得る。
【００２５】
Ｃ−１．プリズム部
１つの実施形態においては、プリズムシート２０（実質的には、プリズム部２２）は、図１および図３に示すように、視認側とは反対側（背面側）に凸となる複数の単位プリズム２３が並列されて構成されている。プリズムシート２０の凸部を背面側に向けて配置することにより、プリズムシート２０を透過する光が集光されやすくなる。また、プリズムシート２０の凸部を背面側に向けて配置すれば、凸部を視認側に向けて配置する場合と比較して、プリズムシートに入射せずに反射する光が少なく、輝度の高い液晶表示装置を得ることができる。
【００２６】
好ましくは、単位プリズム２３は柱状である。柱状の単位プリズムから構成されるプリズムシートは、単位プリズムの配列方向Ｘ、すなわち、単位プリズムの長手方向（稜線方向）と実質的に直交する方向において、透過光を集光する。単位プリズム２３の断面形状は、本発明の効果が得られる限りにおいて任意の適切な形状が採用され得る。単位プリズム２３は、その配列方向に平行かつ厚み方向に平行な断面において、その断面形状が、三角形状（すなわち、単位プリズムが三角柱状）であってもよく、その他の形状（例えば、三角形の一方または両方の斜面が傾斜角の異なる複数の平坦面を有する形状）であってもよい。三角形状としては、単位プリズムの頂点を通りシート面に直交する直線に対して非対称である形状（例えば、不等辺三角形）であってもよく、当該直線に対して対称である形状（例えば、二等辺三角形）であってもよい。さらに、単位プリズムの頂点は、面取りされた曲面状となっていてもよく、先端が平坦面となるようにカットされて断面台形状となっていてもよい。単位プリズムの詳細な形状は、目的に応じて適切に設定され得る。例えば、単位プリズムとして、特開平１１−８４１１１号公報に記載の構成が採用され得る。本明細書において、「実質的に直交」および「略直交」という表現は、２つの方向のなす角度が９０°±１０°である場合を包含し、好ましくは９０°±７°であり、さらに好ましくは９０°±５°である。「実質的に平行」および「略平行」という表現は、２つの方向のなす角度が０°±１０°である場合を包含し、好ましくは０°±７°であり、さらに好ましくは０°±５°である。さらに、本明細書において単に「直交」または「平行」というときは、実質的に直交または実質的に平行な状態を含み得るものとする。
【００２７】
好ましくは、単位プリズム２３の長手方向（稜線方向）は、背面側偏光板１３の透過軸と略直交方向に向いている。なお、プリズムシート２０は、単位プリズム２３の稜線方向と背面側偏光板１３の透過軸とが所定の角度を形成するようにして配置（いわゆる斜め配置）してもよい。斜め配置の範囲としては、好ましくは２０°以下であり、より好ましくは１５°以下である。
【００２８】
Ｃ−２．基材部
プリズムシート２０に基材部２１を設ける場合には、単一の材料を押出し成型等することにより基材部２１とプリズム部２２とを一体的に形成してもよく、基材部用フィルム上にプリズム部を賦形してもよい。基材部の厚みは、好ましくは２５μｍ〜１５０μｍである。
【００２９】
基材部２１を構成する材料としては、目的およびプリズムシートの構成に応じて任意の適切な材料を採用することができる。基材部用フィルム上にプリズム部を賦形する場合には、基材部用フィルムの具体例としては、三酢酸セルロース（ＴＡＣ）、ポリメタクリル酸メチル（ＰＭＭＡ）等の（メタ）アクリル系樹脂、ポリカーボネート（ＰＣ）樹脂により形成されたフィルムが挙げられる。当該フィルムは好ましくは未延伸フィルムである。
【００３０】
単一材料で基材部２１とプリズム部２２とを一体形成する場合、当該材料として、基材部用フィルム上にプリズム部を賦形する場合のプリズム部形成用材料と同様の材料を用いることができる。プリズム部形成用材料としては、例えば、エポキシアクリレート系やウレタンアクリレート系の反応性樹脂（例えば、電離放射線硬化性樹脂）が挙げられる。一体構成のプリズムシートを形成する場合には、ＰＣ、ＰＥＴ等のポリエステル樹脂、ＰＭＭＡ、ＭＳ等のアクリル系樹脂、環状ポリオレフィン等の光透過性の熱可塑性樹脂を用いることができる。
【００３１】
基材部２１は、好ましくは、実質的に光学的に等方性を有する。本明細書において「実質的に光学的に等方性を有する」とは、位相差値が液晶表示装置の光学特性に実質的に影響を与えない程度に小さいことをいう。例えば、基材部の面内位相差Ｒｅは、好ましくは２０ｎｍ以下であり、より好ましくは１０ｎｍ以下である。なお、面内位相差Ｒｅは、２３℃における波長５９０ｎｍの光で測定した面内の位相差値である。面内位相差Ｒｅは、Ｒｅ＝（ｎｘ−ｎｙ）×ｄで表される。ここで、ｎｘは光学部材の面内において屈折率が最大になる方向（すなわち、遅相軸方向）の屈折率であり、ｎｙは当該面内で遅相軸に垂直な方向（すなわち、進相軸方向）の屈折率であり、ｄは光学部材の厚み（ｎｍ）である。
【００３２】
さらに、基材部２１の光弾性係数は、好ましくは−１０×１０−１２ｍ２／Ｎ〜１０×１０−１２ｍ２／Ｎであり、より好ましくは−５×１０−１２ｍ２／Ｎ〜５×１０−１２ｍ２／Ｎであり、さらに好ましくは−３×１０−１２ｍ２／Ｎ〜３×１０−１２ｍ２／Ｎである。
【００３３】
Ｄ．導光板
導光板としては、任意の適切な導光板が用いられ得る。例えば、横方向からの光を厚さ方向に偏向可能となるよう、背面側にレンズパターンが形成された導光板、背面側および／または視認側にプリズム形状等が形成された導光板が用いられる。好ましくは、背面側および視認側にプリズム形状が形成された導光板が用いられる。該導光板において、背面側に形成されたプリズム形状と、視認側に形成されたプリズム形状とは、その稜線方向が直交することが好ましい。このような導光板を用いれば、上記プリズムシートに対して、より集光されやすい光を入射させることができ、本発明の効果が顕著となる。
【００３４】
Ｅ．可視光吸収体
上記可視光吸収体は、導光板から背面側に出射された可視光を吸収する。なお、本明細書において、可視光とは、波長が３８０ｎｍ〜７５０ｎｍの光をいう。
【００３５】
上記可視光吸収体の視感反射率は、３０％以下であり、好ましくは２０％以下であり、より好ましくは１％〜１０％である。このような範囲であれば、視野角が適度に狭まり、例えば、覗き見防止機能を有する液晶表示装置として、好ましい視野角特性を有する液晶表示装置を得ることができる。可視光吸収体の視感反射率は、所望とする視野角および輝度に応じて調整され得る。具体的には、視感反射率を低くすれば視野角が狭まり、視感反射率を高くすれば輝度が高まる。なお、本明細書において、視感反射率とは、ＸＹＺ表色系のＹ値の反射率であり、ＪＩＳ  Ｚ  ８７２２に準じて測定される反射率である。
【００３６】
上記可視光吸収体を構成する材料としては、上記の視感反射率を有する限り、任意の適切な材料が用いられ得る。可視光吸収体を構成する材料の具体例としては、黒色に着色された紙、黒色に着色された樹脂フィルム、黒色に着色された金属フィルム等が挙げられる。黒色に着色された樹脂フィルムは、例えば、アクリル系樹脂、アセタール系樹脂、クロロプレンゴム等のベースポリマーと、顔料、染料、カーボンブラック等の着色体とを含む。また、黒色に着色された樹脂フィルムのさらに別の具体例としては、反射性または透過性の樹脂フィルム上に黒色塗料を塗布して形成された樹脂フィルム；反射性または透過性の樹脂フィルム上に無機物を付着して形成された樹脂フィルム等が挙げられる。黒色に着色された金属フィルムとしては、反射性の金属フィルム上に黒色塗料を塗布して形成された金属フィルム；反射性の金属フィルム上に無機物を付着して形成された金属フィルム；黒アルマイト加工されたアルミニウムフィルム等の任意の適切な表面処理が施された金属フィルム等が挙げられる。
【００３７】
上記可視光吸収体の厚みは、好ましくは０．０１ｍｍ〜２０ｍｍであり、より好ましくは０．０１ｍｍ〜１０ｍｍであり、特に好ましくは０．０２ｍｍ〜５ｍｍであり、最も好ましくは０．０２ｍｍ〜１ｍｍである。
【００３８】
Ｆ．バックライトユニット
１つの実施形態においては、導光板および可視光吸収体は、バックライトユニットを構成する部材であり得る。実用的には、バックライトユニットは、光源をさらに含み得る。
【００３９】
上記光源は、導光板の側面に対応する位置に配置される。光源としては、例えば、複数のＬＥＤが配列して構成されるＬＥＤ光源が用いられ得る。
【００４０】
上記バックライトユニットは、さらに別の部材を含み得る。例えば、上記バックライトユニットは、必要に応じて、任意の適切な拡散板をさらに備え得る。
【００４１】
Ｇ．用途
本発明の液晶表示装置は、狭い視野角で画像を表示することが求められる用途に好適に用いられ得る。好ましい用途の具体例としては、自動車、列車、船舶、航空機等の乗り物の椅子（座席）の背もたれ背面に備えられるシートモニター、現金自動受払機、切符等の自動販売機、携帯端末等が挙げられる。また、本発明の画像表示装置は、乗り物において、シートモニターとして用いられ得るほか、乗り物の壁、床または天井に配置して用いられ得る。
【００４２】
本発明の液晶表示装置をシートモニターとして用いれば、シートモニターの視聴が望まれる正面位置では高画質な画像を視認できる一方、それ以外の位置では画像が視認され難くなり、視聴を望まない人の不快感を低減することができる。
【実施例】
【００４３】
以下、実施例により本発明を具体的に説明するが、本発明はこれらの実施例には限定されない。実施例における試験および評価方法は以下のとおりである。また、特に明記しない限り、実施例における「部」および「％」は重量基準である。
【００４４】
（１）視感反射率
実施例で用いた可視光吸収体および比較例で用いた反射板の視感反射率は、日立テクノロジーズ社製分光光度計「Ｕ−４１００」を用いて、ＪＩＳ  Ｚ  ８７２２に準じた方法で測定した。
【００４５】
（２）輝度
実施例および比較例で得られた液晶表示装置に白画面を表示し、輝度計（ＡＵＴＲＯＮＩＣ−ＭＥＬＣＨＥＲＳ社製、商品名「Ｃｏｎｏｓｃｏｐｅ」）を用いて、全方位、極角θ０°〜８０°の輝度を測定した。
【００４６】
（３）画質
液晶表示装置に所定の画像を表示し、目視にて、画像のザラツキ、モアレおよびボヤケの有無を確認した。
【００４７】
［実施例１］
視認側から順に、液晶パネル（ソニー社製の商品名ＶＡＩＯ  Ｓシリーズに搭載の液晶パネル、構成：視認側偏光板／ＴＮモードの液晶セル／背面側偏光板）と、プリズムシートと、バックライトユニットとを備える液晶表示装置を準備した。
上記プリズムシートとしては、基材部と、三角柱状の単位プリズムが複数配列されたプリズム部とから構成されているプリズムシートを用いた。該プリズムシートは、凸部が背面側に向くように配置した。
上記バックライトユニットとしては、導光板と、導光板の側面に対応する位置に配置されたＬＥＤ光源と、導光板の背面側に配置された可視光吸収体（大王製紙社製、色画用紙、商品名「Ｃ−８５５」、視感反射率：７％）とを備えるバックライトユニットを用いた。
上記評価方法（２）に従って、得られた液晶表示装置の輝度を測定した。正面方向（極角０°）における測定輝度を表１に示す。
また、最も狭視野角化された出射面内方向における、正面方向の補正輝度に対する、極角θの補正輝度の比を図４（ａ）のグラフ図に示す。また、該グラフ図から求められる、正面方向（極角０°）の輝度に対する極角４０°における輝度の比を表１中に示す。なお、補正輝度とは、測定位置に起因する誤差補正のため、測定輝度に測定点の極角θの余弦値（ｃｏｓθ）を乗じた値を意味する。
上記評価方法（３）に従って、得られた液晶表示装置の画質を確認したところ、ザラツキ、モアレおよびボヤケは見られず、良好な画質が得られていた。
【００４８】
［実施例２］
液晶パネルとプリズムシートとの間に、反射型偏光板を配置した以外は、実施例１と同様にして、液晶表示装置を準備した。得られた液晶表示装置を、実施例１と同様の評価に供した。結果を表１および図４（ｂ）に示す。なお、上記評価方法（３）に従って、得られた液晶表示装置の画質を確認したところ、ザラツキ、モアレおよびボヤケは見られず、良好な画質が得られていた。
【００４９】
［比較例１］
視認側から順に、液晶パネル（アップル社製の商品名ｉＰａｄ２に搭載の液晶パネル、構成：視認側偏光板／ＩＰＳモードの液晶セル／背面側偏光板）と、反射型偏光板と、第１の拡散シートと、第１のプリズムシートと、第２のプリズムシートと、第２の拡散シートと、バックライトユニット（半球状のレンズが形成された導光板と、白色ＰＥＴ反射板（視感反射率：９９％）と、ＬＥＤ光源とを備えるエッジライト方式）とを備える液晶表示装置を準備した。
上記第１および第２のプリズムシートとしては、基材部と、三角柱状の単位プリズムが複数配列されたプリズム部とから構成されているプリズムシートを用いた。該プリズムシートは、凸部が視認側に向くように配置した。また、第１のプリズムシートと第２のプリズムシートとは、その配列方向が直交するようにして配置した。
得られた液晶表示装置を、実施例１と同様の評価に供した。結果を表１および図４（ｃ）に示す。なお、上記評価方法（３）に従って、得られた液晶表示装置の画質を確認したところ、ザラツキ、モアレおよびボヤケは見られず、良好な画質が得られていた。
【００５０】
［比較例２］
液晶パネルの視認側にルーバーフィルム（住友スリーエム社製、商品名「セキュリティ／プライバシーフィルター」、厚み：０．６ｍｍ、ルーバー部の幅：７μｍ、光透過部の幅：１５０μｍ）をさらに備える以外は、比較例１と同様にして、液晶表示装置を準備した。
上記ルーバーフィルムは、その効果軸方向（視野角が狭められる方向）が第１の単位プリズムの配列方向に対して平行となり、かつ、その効果軸方向がＬＥＤ配列方向と直交するように配置した。
得られた液晶表示装置を、実施例１と同様の評価に供した。結果を表１および図４（ｄ）に示す。なお、上記評価方法（３）に従って、得られた液晶表示装置の画質を確認したところ、ザラツキ、モアレおよびボヤケが見られ、良好な画質が得られなかった。
【００５１】
［比較例３］
視認側から順に、液晶パネル（ソニー社製の商品名ＶＡＩＯ  Ｓシリーズに搭載の液晶パネル、構成：視認側偏光板／ＴＮモードの液晶セル／背面側偏光板）と、反射型偏光板と、プリズムシートと、バックライトユニット（プリズム形状が形成された導光板と、白色ＰＥＴ反射板（視感反射率：９９％）と、ＬＥＤ光源とを備えるエッジライト方式）とを備える液晶表示装置を準備した。
上記プリズムシートとしては、基材部と、三角柱状の単位プリズムが複数配列されたプリズム部とから構成されているプリズムシートを用いた。該プリズムシートは、凸部が背面側に向くように配置した。
得られた液晶表示装置を、実施例１と同様の評価に供した。結果を表１および図４（ｅ）に示す。なお、上記評価方法（３）に従って、得られた液晶表示装置の画質を確認したところ、ザラツキ、モアレおよびボヤケは見られず、良好な画質が得られていた。
【００５２】
［比較例４］
液晶パネルの視認側にルーバーフィルム（住友スリーエム社製、商品名「セキュリティ／プライバシーフィルター」、厚み：０．６ｍｍ、ルーバー部の幅：７μｍ、光透過部の幅：１５０μｍ）をさらに備える以外は、比較例３と同様にして、液晶表示装置を準備した。
上記ルーバーフィルムは、その効果軸方向（視野角が狭められる方向）が単位プリズムの配列方向に対して平行となり、かつ、その効果軸方向がＬＥＤ配列方向と直交するように配置した。
得られた液晶表示装置を、実施例１と同様の評価に供した。結果を表１および図４（ｆ）に示す。なお、上記評価方法（３）に従って、得られた液晶表示装置の画質を確認したところ、ザラツキ、モアレおよびボヤケが見られ、良好な画質が得られなかった。
【００５３】
［比較例５］
白色ＰＥＴ反射板（視感反射率：９９％）に代えて、可視光吸収体（大王製紙社製、色画用紙、商品名「Ｃ−８５５」、視感反射率：７％）を用いた以外は、比較例１と同様にして、液晶表示装置を準備した。
得られた液晶表示装置を、実施例１と同様の評価に供した。結果を表１および図４（ｇ）に示す。なお、上記評価方法（３）に従って、得られた液晶表示装置の画質を確認したところ、ザラツキ、モアレおよびボヤケは見られず、良好な画質が得られていた。
【００５４】
【表１】
2014238478.tif 000003
【００５５】
表１および図４から明らかなように、本発明によれば、良好に視野角が狭められた液晶表示装置を得ることができる。具体的には、実施例１および２と、比較例２および４との比較から明らかなように、本発明の液晶表示装置は、ルーバーフィルムを用いていないにも関わらず、ルーバーフィルムを備えた液晶表示装置と同等以上に視野角が狭められている。また、本発明の液晶表示装置は、ルーバーフィルムを備えていない液晶表示装置と同等の高画質を実現し得る。
【００５６】
また、実施例１と実施例２との比較から明らかなように、本発明においては、反射型偏光板を含まない構成とすることにより、視野角が狭く、かつ、輝度の高い液晶表示装置を得ることができる。
【００５７】
これらの効果は、背面側に凸部を有するプリズムシートと、可視光吸収体とを組み合わせて得られものである。比較例５に示すように、視認側に凸部を有するプリズムシートを用いた場合は、視野角を狭めることができず、輝度も顕著に低下する。
【符号の説明】
【００５８】
１０    液晶パネル
２０    プリズムシート
３０    導光板
４０    可視光吸収体
１００    液晶表示装置
【図１】
2014238478.tif 000004
【図２】
2014238478.tif 000005
【図３】
2014238478.tif 000006
【図４】
2014238478.tif 000007